(57)【特許請求の範囲】
【請求項１】
連続フォームの各単位フォームに印刷された図柄紋様を有し、
前記図柄紋様は４桁以上多数桁数字の数字配列であるランダム識別数字を備えた管理識別紋様または図形紋様で構成され、
前記４桁以上多数桁数字の数字配列は、２桁数字づつの数表示を複数組組み合わせた規則性を有する数字配列であり、
前記連続フォームの各単位フォームは、ランダム識別数字が前記４桁以上多数桁数字を構成する前記２桁数字づつの数表示を各単位フォーム毎に異にした図柄紋様が構成されることを特徴とするセキュリティ性の高い用紙。
【請求項２】
前記連続フォームの各単位フォームに印刷される図柄紋様は、前記４桁以上多数桁数字の数字配列が縦、横、斜めの直線状または湾曲形状の曲線状に配置された請求項１に記載のセキュリティ性の高い用紙。
【請求項３】
前記連続フォームは各単位フォーム毎に切断して枚葉物の紙葉が構成された請求項１または２に記載のセキュリティ性の高い用紙。
【請求項４】
前記連続フォームの各単位フォームに印刷される図柄紋様のランダム識別数字は４桁以上多数桁数字の数字配列が文字の大きさ１０ｐｔ〜１５ｐｔの普通文字と２ｐｔ〜６ｐｔの微細文字または０．４ｐｔ〜１ｐｔのマイクロ文字とを多段状に配設して構成される請求項１または２に記載のセキュリティ性の高い用紙。
【請求項５】
前記図柄紋様は連続フォームの各単位フォームの所要の２次元レイアウト位置に図形紋様、記号紋様、文字紋様および管理識別紋様の少なくとも１つが配置される請求項１に記載のセキュリティ性の高い用紙。
【請求項６】
前記図柄紋様を構成するランダム識別数字の４桁以上多数桁数字の数字配列は、印刷インキの色を同じ色で印刷したり、あるいは、前記４桁以上多数桁数字を構成する２桁数字ずつ使用される印刷インキの色を異にして印刷される請求項１に記載のセキュリティ性の高い用紙。
【請求項７】
給紙ロールから繰り出される連続フォームに、第１の印刷装置の無端帯状印刷プレートの旋回回転により図形紋様が単位フォーム毎に順次印刷され、
印刷された連続フォームの各単位フォームに、第１の印刷装置と同期駆動される別の複数の印刷装置で図柄紋様が印刷され、
前記複数の印刷装置は各無端帯状印刷プレートにより２桁数字づつ数表示の印刷が加算されて、４桁以上多数桁数字の数字配列であるランダム識別数字の図柄紋様が連続フォームの各単位フォームに印刷され、
前記４桁以上多数桁数字の数字配列は、２桁数字づつの数表示を複数組組み合わせた数字配列で規則性を有し、
前記連続フォームは連続する各単位フォーム毎に、前記４桁以上多数桁数字の数字配列である前記ランダム識別数字が異なる図柄紋様が印刷されて構成されることを特徴するセキュリティ性の高い用紙の製造装置。
【請求項８】
前記複数の印刷装置は、前記ランダム識別数字の図柄紋様を印刷する少なくとも２つの印刷装置を有し、
前記複数の印刷装置は各無端帯状印刷プレートの版面の数をそれぞれ異にし、かつ各版面は複数桁数字の数表示を版面毎に異にして形成された請求項７に記載のセキュリティ性の高い用紙の製造装置。
【請求項９】
前記複数の印刷装置の各無端帯状印刷プレートは、連続フォームの各単位フォームに４桁以上多数桁数字の数字配列であるランダム識別数字の図柄紋様が印刷され、
前記ランダム識別数字の図柄紋様は、管理識別紋様または図形紋様で構成される請求項７または８に記載のセキュリティ性の高い用紙の製造装置。
【請求項１０】
前記連続フォームの各単位フォームに印刷される前記ランダム識別数字の図柄紋様は、図形紋様、管理識別紋様、記号紋様および文字紋様の少なくとも１つが選択されて構成される請求項９に記載のセキュリティ性の高い用紙の製造装置。
【請求項１１】
前記４桁以上多数桁数字のランダム識別数字の図柄紋様が印刷された連続フォームの各単位フォームは切断機で単位フォーム毎に切断されて枚葉物の紙葉が構成される請求項７に記載のセキュリティ性の高い用紙の製造装置。
【請求項１２】
前記図柄紋様のランダム識別数字は、文字の大きさが１０ｐｔ〜１５ｐｔの普通文字と２ｐｔ〜６ｐｔの微細文字または０．４ｐｔ〜１ｐｔのマイクロ文字とからなる４桁以上多数桁数字の数字配列が多段階並列状に配設されて構成される請求項７または８に記載のセキュリティ性の高い用紙の製造装置。
【請求項１３】
前記連続フォームに図形紋様を印刷する第１の印刷装置と、前記連続フォームの各単位フォームに図柄紋様を印刷する複数の印刷装置とは、同じ色の印刷インキあるいはそれぞれ異なる色の印刷インキが用いられる請求項７に記載のセキュリティ性の高い用紙の製造装置。
【請求項１４】
前記ランダム識別数字は、４桁以上多数桁数字の数字配列が縦、横、斜めの直線状あるいは湾曲形状の曲線状に配列して構成される請求項７または８に記載のセキュリティ性の高い用紙の製造装置。
【請求項１５】
前記印刷装置および他の複数の印刷装置は、印刷インキに枚葉物インキおよびＯＣＲインキが選択的に用いられる請求項７に記載のセキュリティ性の高い用紙の製造装置。
【請求項１６】
給紙ロールから繰り出される連続フォームに図形紋様を、第１の印刷装置により単位フォーム毎に順次印刷し、
前記図形紋様が印刷された連続フォームの各単位フォームに、他の複数の印刷装置を順次用いて２桁数字づつ数表示の２次元レイアウト位置をそれぞれ異にして４桁以上多数桁数字のランダム識別数字を印刷し、
前記複数の印刷装置により前記連続フォームの各単位フォームに、前記２桁数字づつ数表示を複数組組み合せた４桁以上多数桁数字の数字配列で規則性を有するランダム識別数字の図柄紋様が印刷して構成し、
前記ランダム識別数字は、前記４桁以上多数桁数字の数字配列のうち前記２桁数字ずつの数表示を、前記連続フォームの各単位フォーム毎に異にすることを特徴とするセキュリティ性の高い用紙の製造方法。
【請求項１７】
前記連続フォームの各単位フォームに印刷される図柄紋様は、前記ランダム識別数字を構成する前記４桁以上多数桁数字の数字配列を、縦、横、斜めの直線状または湾曲形状の曲線状に配置する請求項１６に記載のセキュリティ性の高い用紙の製造方法。
【請求項１８】
前記連続フォームの各単位フォームに印刷される図柄紋様の前記ランダム識別数字は、前記４桁以上多数桁数字の数字配列が、文字の大きさ１０ｐｔ〜１５ｐｔの普通文字と、２ｐｔ〜６ｐｔの微細文字または０．４ｐｔ〜１ｐｔのマイクロ文字とから多段階並列状に配設されて構成する請求項１６または１７に記載のセキュリティ性の高い用紙の製造方法。
【発明の詳細な説明】
【技術分野】
【０００１】
本発明は、セキュリティ性の高い印刷技術に係り、特に、連続フォームから単位フォーム毎に異なる数字（記号、文字）配列等の図柄紋様（文様、模様）の印刷を施し、改ざん防止機能および模倣防止機能を備えたセキュリティ性の高い用紙およびこの用紙の製造装置ならびにその製造方法に関する。
【背景技術】
【０００２】
帯状の連続フォーム（連続紙）に無端帯状印刷プレートを用いて連続的に印刷を施し、印刷された長尺の帯状連続フォームを製造する基本的な印刷技術を本発明者は開発した。無端帯状印刷プレートを用いて連続フォームに印刷を施す技術は、年金・保険や税金の納付用紙、カレンダ、契約書、取扱説明書、書籍の冊子等に広く応用されている。
【０００３】
また、近年は、印刷技術の進歩により、給紙ロールの連続フォームから、サービス券、入場券、旅行券、商品券、金券、株券、債券等のように、枚葉物の紙葉で高品質かつセキュリティ性の高い印刷にも広く利用されている。
【０００４】
従来の無端帯状印刷プレートを用いて、給紙ロールから繰り出される帯状の連続フォームに印刷を連続的に施すものは、連続フォームに印刷を施す印刷技術である。可撓性の無端帯状印刷プレートを用いた印刷装置により連続フォームに印刷を施す技術には、特許文献１および２に記載された印刷技術がある。
【０００５】
無端帯状印刷プレートを用いた印刷装置では、給紙ロールから繰り出される連続フォームに印刷を施し、印刷された連続フォームを所要の各単位フォーム毎に切断して枚葉物の紙葉が製造される。印刷された枚葉物の紙葉には種々の図形、記号、文字や図案、色の組合せ等の図柄紋様（文様、模様）が印刷される。枚葉物の紙葉に印刷された紋様は、印刷技術の向上に伴って高品質化やセキュリティ性の向上が図られている。
【先行技術文献】
【特許文献】
【０００６】
【特許文献１】特開２０１２−９６４９０号公報
【特許文献２】特開２０１１−５３４２４号公報
【発明の概要】
【発明が解決しようとする課題】
【０００７】
印刷装置で印刷される枚葉物の各紙葉には同じ図柄紋様が反復繰り返して使用され、印刷装置による一連の印刷で枚葉物の各紙葉にそれぞれ異なる図柄紋様を印刷することはできない。枚葉物の紙葉に異なる図柄紋様を印刷する場合には、その都度異なる印刷装置を用いて印刷しなければならない。枚葉物の紙葉毎に異なる印刷は、印刷の都度印刷装置を変える必要があり、不経済である。
【０００８】
また、無端帯状印刷プレートを用いて連続フォームに印刷する場合には、無端帯状印刷プレートに構成される版面の数だけ、各版面の図柄紋様を異にすることができる。
【０００９】
しかし、無端帯状印刷プレートに構成される版面の数は、制約がある。各版面の図柄紋様を異ならせても、異なる図柄紋様毎に印刷される枚葉物の紙葉は、構成される版面の数に制約され、版面の数以上に多くすることができない。
【００１０】
一方、印刷技術の向上に伴って無端帯状印刷プレートは、版面の緻密化、精細化により印刷精度を向上させ、高品質化やセキュリティ性の向上が図られている。しかし、緻密化、精細化による印刷精度の向上には版面の数と同様に制約があり、多数の枚葉物の紙葉にそれぞれ異なる図柄紋様を施すことはできない。
【００１１】
また、他方、近年は電子写真複写機による印刷技術が発達しており、複写機では再現のできないセキュリティ性の高い印刷が求められている。これに伴い印刷物である紙葉でも文字等内容の再現が難しい印刷物の開発が期待されている。しかし、既存の印刷物では、紙葉物の紙葉に改ざん防止機能や模倣防止機能が備えられておらず、セキュリティ性の高いものとなっていない。しかも、印刷物（印刷装置により印刷された紙葉）は電子写真複写機により簡単に複写することができる。その際、印刷装置で印刷された印刷物であるのか、あるいは複写機による複写物であるかを識別したり、判別することが困難である。
【００１２】
さらに、印刷装置で印刷された枚葉物の各紙葉は、一般には同じ図柄紋様が印刷されているので、図柄紋様から印刷された枚葉物の各紙葉を個別に識別管理することが困難であり、できない。特に印刷された枚葉物の紙葉が、大学や企業等の所要の機関にとって極めて重要な印刷物であったり、機密の印刷物である場合、印刷された枚葉物の紙葉を印刷物毎に個別に識別管理することができないため、所要の機関への配布先管理や紛失防止を図ることが困難となる。
【００１３】
従来、印刷された枚葉物の各紙葉には、同じ図柄紋様が印刷されており、紙葉毎に区別することが困難であり、紙葉毎に区別して識別管理することが難しい。
【００１４】
また、印刷される枚葉物の紙葉の図柄紋様に、特殊な紙葉では、マイクロ文字を印刷し、このマイクロ文字を隠し文字として形成した紙幣等の印刷物が存在する。しかし、印刷される枚葉物の紙葉に、普通文字とマイクロ文字または微小文字を組み合せて配列した文字配列、例えば数字配列が印刷された印刷物は存在しない。ましてや、普通文字とマイクロ文字または微小文字とを組み合せた文字配列、例えば数字配列からなる図柄紋様が、印刷される枚葉物の紙葉毎に全て異なる印刷物は存在しない。
【００１５】
ここにおいて、普通文字とは文字の大きさが１０ポイント（ｐｔ）〜１５ポイント（ｐｔ）の文字フォントで作成される大きさの文字をいい、微細文字とは文字の大きさが２ｐｔ〜６ｐｔの文字フォントで作成される大きさの微小文字をいう。また、マイクロ文字とは文字の大きさが１ｐｔ以下の極微細文字、例えば０．４ｐｔ〜１ｐｔの文字フォントで作成される大きさの文字をいう。ここに、１ｐｔ≒０．３５１４ｍｍである。
【００１６】
本発明は、上述した事情を考慮してなされたもので、連続フォームの各単位フォームに、多数桁数字の数字配列を構成する複数桁数字ずつの数表示が各単位フォーム毎を異にしたランダム識別字紋（番号）の図柄紋様を印刷し、印刷された各単位フォームや枚葉物の紙葉の個別管理が容易で、セキュリティ性の高い用紙、この用紙の製造装置ならびにその製造方法を提供することを目的とする。
【００１７】
本発明の他の目的は、連続フォームの各単位フォームに、普通文字とマイクロ文字または微小文字とを組み合せた文字配列を有する図柄紋様を印刷し、模倣防止や偽造防止を図ることができるセキュリティ性の高い用紙およびこの用紙の製造装置ならびにその製造方法を提供することにある。
【００１８】
加えて、本発明は、連続フォームの各単位フォームに、普通文字とマイクロ文字または微細文字とを組み合せた文字配列を、縦、横、斜め方向または湾曲した曲線状に配列した図柄紋様の印刷により、より一層模倣防止や偽造防止が図れ、かつ複写機による複写物では、図柄紋様の一部が潰れ再現性が得られないスマートシートでセキュリティ性の高い用紙およびこの用紙の製造装置ならびにその製造方法を提供するものである。
【００１９】
また、本発明の別の目的は、数字の大きさが異なる普通文字とマイクロ文字または微小文字を組み合せた数字配列を有する図柄紋様を連続フォームの各単位フォームに印刷し、連続フォームの各単位フォームや枚葉物の紙葉毎に図柄紋様の数字配列を全て異にし、印刷物である枚葉物の各紙葉は図柄紋様の数字配列を識別して容易に検索することができ、印刷物の個別管理を容易に行なうことができるセキュリティ性の高い用紙およびこの用紙の製造装置ならびにその製造方法を提供する。
【００２０】
さらに、本発明の別の目的は、連続フォームの各単位フォームに印刷される図柄紋様が数字配列または文字配列であるとき、印刷物である枚葉物の各紙葉は同じ数字配列や文字配列の図柄紋様は重複して表われることなく、枚葉物の各紙葉毎の図柄紋様をそれぞれ異にして図柄紋様の再現性が全く無くセキュリティ性の高い用紙およびこの用紙の製造装置ならびにその製造方法を提供する。
【００２１】
その上、本発明のさらに別の目的は、連続フォームの各単位フォームに印刷される図柄紋様の数字配列または文字配列が所要の規則性を持ってランダムに配列されているため、一見ランダム配列の図柄紋様により簡易暗号化が図れ、この簡易暗号化により枚葉物の各紙葉の個別管理を行なうことができるセキュリティ性の高い用紙およびこの用紙の製造装置ならびにその製造方法を提供する。
【課題を解決するための手段】
【００２２】
本発明は、上述した課題を解決するために、連続フォームの各単位フォームに印刷された図柄紋様を有し、
前記図柄紋様は４桁以上多数桁数字の数字配列であるランダム識別数字を備えた管理識別紋様または図形紋様で構成され、
前記４桁以上多数桁数字の数字配列は、２桁数字づつの数表示を複数組組み合わせた規則性を有する数字配列であり、
前記連続フォームの各単位フォームは、ランダム識別数字が前記４桁以上多数桁数字を構成する前記２桁数字づつの数表示を各単位フォーム毎に異にした図柄紋様が構成されることを特徴とするセキュリティ性の高い用紙。
【００２３】
また、本発明は、上述した課題を解決するために、給紙ロールから繰り出される連続フォームに、第１の印刷装置の無端帯状印刷プレートの旋回回転により図形紋様が単位フォーム毎に順次印刷され、
印刷された連続フォームの各単位フォームに、第１の印刷装置と同期駆動される別の複数の印刷装置で図柄紋様が印刷され、
前記複数の印刷装置は各無端帯状印刷プレートにより２桁数字づつ数表示の印刷が加算されて、４桁以上多数桁数字の数字配列であるランダム識別数字の図柄紋様が連続フォームの各単位フォームに印刷され、
前記４桁以上多数桁数字の数字配列は、２桁数字づつの数表示を複数組組み合わせた数字配列で規則性を有し、
前記連続フォームは連続する各単位フォーム毎に、前記４桁以上多数桁数字の数字配列である前記ランダム識別数字が異なる図柄紋様が印刷されて構成されることを特徴するセキュリティ性の高い用紙の製造装置。
【００２４】
さらに、本発明は、上述した課題を解決するために、給紙ロールから繰り出される連続フォームに図形紋様を、第１の印刷装置により単位フォーム毎に順次印刷し、
前記図形紋様が印刷された連続フォームの各単位フォームに、他の複数の印刷装置を順次用いて２桁数字づつ数表示の２次元レイアウト位置をそれぞれ異にして４桁以上多数桁数字のランダム識別数字を印刷し、
前記複数の印刷装置により前記連続フォームの各単位フォームに、前記２桁数字づつ数表示を複数組組み合せた４桁以上多数桁数字の数字配列で規則性を有するランダム識別数字の図柄紋様が印刷して構成し、
前記ランダム識別数字は、前記４桁以上多数桁数字の数字配列のうち前記２桁数字ずつの数表示を、前記連続フォームの各単位フォーム毎に異にすることを特徴とするセキュリティ性の高い用紙の製造方法である。
【発明の効果】
【００２５】
本発明では、連続フォームの各単位フォームに印刷される図柄紋様は、4桁以上多数桁数字（例えば１０桁数字）の数字配列で構成されるランダム識別数字が２桁数字ずつの数表示を各単位フォーム毎に規則性を有して異にするので、図柄紋様が印刷された連続フォームの各単位フォームや枚葉物の紙葉は、多数桁数字の図柄紋様が全て異なる単位ユニットの印刷物が製造される。ランダム識別数字が重複する印刷物は製造されない。したがって、図柄紋様のランダム識別数字（多数桁数字）を識別することで、各単位フォームや枚葉物の紙葉を検索することが容易にでき、印刷物の個別管理を行なうことができる。
【００２６】
また、図柄紋様は、４桁以上多数桁数字の数字配列が普通文字とマイクロ文字または微細文字とを組み合せた文字配列で構成されるので、模倣防止や偽造防止を図ることができ、さらに、複写物では図柄紋様の一部が潰れて再現性が得られず、セキュリティ性の高い用紙を提供することができる。
【００２７】
加えて、連続フォームの各単位フォームに印刷される図柄紋様は、４桁以上多数桁数字の数字配列でランダム識別数字が構成され、このランダム識別数字は、普通文字とマイクロ文字または微細文字とを組み合せた文字配列を、縦、横、斜めの直線状または湾曲形状の曲線状に自由に配列して構成されるので、印刷物の模倣防止や偽造防止をより一層図ることができ、セキュリティ性の高い用紙、この用紙の製造装置および製造方法を提供することができる。
【図面の簡単な説明】
【００２８】
【図１】セキュリティ性の高い用紙の製造装置の第１実施形態を示す図。
【図２】図１の製造装置で製造された枚葉物の紙葉の印刷物の例を示す図。
【図３】図１の製造装置に備えられる第１の印刷装置で図形紋様が印刷される連続フォームを示す図。
【図４】図１の製造装置で図形紋様が印刷された連続フォームに第２の印刷装置で最初（１組目）の２桁数字が印刷される連続フォームの印刷例を示す図。
【図５】図１の製造装置の第３の印刷装置で２番目（２組目）の２桁数字（計４桁数字）が印刷される連続フォームの印刷例を示す図。
【図６】図１の製造装置の第４の印刷装置で３番目（３組目）の２桁数字（計６桁数字）が印刷される連続フォームの印刷例を示す図。
【図７】図１の製造装置の第５の印刷装置で４番目（４組目）の２桁数字（計８桁数字）が印刷される連続フォームの印刷例を示す図。
【図８】図１の製造装置の第６の印刷装置で５番目（５組目）の２桁数字（計１０桁数字）が印刷される連続フォームの印刷例を示す図。
【図９】（Ａ）は図２のＡ部を拡大して示す１０桁数字配列のランダム識別字紋（番号）の管理識別紋様を示す図、（Ｂ）は図２のＢ部を拡大して示す１０桁数字配列が曲線状のランダム識別字紋を示す図。
【図１０】（Ａ）〜（Ｉ）は第２の印刷装置の無端帯状印刷プレートで印刷される２桁数字の縦、横、斜め配置例をそれぞれ示すもので、図２のＣ部〜Ｋ部をそれぞれ拡大して示す拡大図。
【図１１】図１に示す製造装置の第２の印刷装置の無端帯状印刷プレートで連続フォームの単位フォームに印刷される最初（１組目）の２桁数字の配置例を示す２次元レイアウト図。
【図１２】図１に示す製造装置の第３の印刷装置の無端帯状印刷プレートで連続フォームの単位フォームに印刷される２番目（２組目）の２桁数字の配置例を示す２次元レイアウト図。
【図１３】図１に示す製造装置の第４の印刷装置の無端帯状印刷プレートで連続フォームの単位フォームに印刷される３番目（３組目）の２桁数字の配置例を示す２次元レイアウト図。
【図１４】図１に示す製造装置の第５の印刷装置の無端帯状印刷プレートで連続フォームの単位フォームに印刷される４番目（４組目）の２桁数字の配置例を示す２次元レイアウト図。
【図１５】図１に示す製造装置の第６の印刷装置の無端帯状印刷プレートで連続フォームの単位フォームに印刷される５番目（５組目）の２桁数字の配置例を示す２次元レイアウト図。
【図１６】パソコンのエクセル機能を用いて作成されるＮｏ．１〜Ｎｏ．５の２桁数字の数字列の配列例と管理番号である通し番号と１０桁数字の管理識別番号とコンテンツとの関係を示す管理表（１）。
【図１７】図１の製造装置を用いて印刷される連続フォームの各単位フォームの印刷例を示す図。
【図１８】図柄紋様の記号紋様や文字紋様等に使用されるＡＲＣＡＲＴＥＲフォントの例を示す図。
【図１９】図１６の管理表（１）と同様、第２の実施形態の製造装置の第２〜第６の印刷装置に用いられる管理表（２）を示す図。
【図２０】図１６の管理表（１）と同様、第３の実施形態の製造装置の第２〜第６の印刷装置に用いられる管理表（３）を示す図。
【図２１】各実施形態の製造装置を構成する印刷装置に用いられるＯＣＲインキのＰＣＳ値を示す図。
【発明を実施するための形態】
【００２９】
以下、本発明に係る実施の形態について添付図面を参照して説明する。
【００３０】
［第１の実施形態］
図１は、可撓性で長尺な無端帯状印刷プレートをそれぞれ備えた複数台、例えば６台の印刷装置を用いて、長尺な帯状連続フォーム（連続紙）に一連の印刷を連続して施し、印刷された連続フォームを単位フォーム毎に切断して印刷物である枚葉物の紙葉を製造するセキュリティ性の高い用紙の製造装置を原理的に示す構成図である。
【００３１】
セキュリティ性の高い用紙の製造装置１０は、給紙ロール１１から繰り出される長尺帯状の連続フォーム（連続紙：ロール紙）１２に無端帯状印刷プレート１３を用いて連続的に印刷を施すロータリプレス印刷機械である。セキュリティ性の高い用紙の印刷機械による製造装置１０では、例えば６台の印刷装置１７〜２２に使用される印刷インキは全て同色のインキを用いても、全て異なるインキ、例えば、黒色、赤色、青色、紫色、緑色およびオレンジ色のインキを用いてもよく、使用される印刷インキは製造される目的物の単位フォーム、ひいては印刷物である枚葉物の紙葉に応じて適宜選択される。
【００３２】
本実施形態の印刷機械による製造装置１０は、給紙ロール１１から繰り出される連続フォーム１２に第１の印刷装置１７および第２〜第６の印刷装置１８〜２２の無端帯状印刷プレート１３を用いて連続的に印刷を施し、印刷された連続フォーム１２を各単位フォーム毎に切断機３８で切断することにより、図２に示すように印刷されたスマートシートである枚葉物の紙葉３０が製造される。製造される印刷物である枚葉物の紙葉３０には、例えば動物としての猫の図形紋様３１、図形や記号を表示した記号紋様３２およびアルファベットの英文字、カタカナ、ひらがなや漢字（中国語やハングル語）等の文字紋様３３、およびランダム識別番号の管理識別紋様３４からなる図柄紋様３５が印刷される。これらの図柄紋様３５（３１，３２，３３，３４）は、例えば下地紋様として枚葉物の紙葉３０に印刷されるもので、使用される印刷インキは、平板インキ、凸版インキあるいはグラビアインキまたはＯＣＲインキ等が用いられる。
【００３３】
この印刷機械を用いた製造装置１０は、複数台、例えば６台の印刷装置１７〜２２を有し、各印刷装置１７〜２２には、可撓フィルム状の樹脂印刷凸版で構成される無端帯状印刷プレート１３（１３ａ，１３ｂ，１３ｃ，１３ｄ，１３ｅ，１３ｆ）が備えられる。各無端帯状印刷プレート１３（１３ａ〜１３ｆ）は版胴あるいは本体胴を構成するプレートシリンダ２３とガイドシリンダ（ガイドローラ）２４との間に掛け渡され、各印刷装置１７〜２２は同期化して運転される。各印刷装置１７〜２２の運転により、無端帯状印刷プレート１３（１３ａ〜１３ｆ）は各版面の送りが同期化して案内される。
【００３４】
各無端帯状印刷プレート１３（１３ａ〜１３ｆ）は一廻りの長手方向（天地方向）長さが、数ｍ〜数十ｍ、例えば７ｍ〜５０ｍの間で適宜選択される。各無端帯状印刷プレート１３（１３ａ〜１３ｆ）は本発明者の出願に係る特許文献１および２に記載の発明を適用して製作される。各無端帯状印刷プレート１３（１３ａ〜１３ｆ）は所要の長手方向（天地方向）長さを有し、各無端帯状印刷プレート１３（１３ａ〜１３ｆ）に構成される版面の大きさ、形状は互いに等しいが、版面の数は第２の印刷装置１８〜第６の印刷装置２２に設けられる各無端帯状印刷プレート１３（１３ｂ〜１３ｆ）毎に異なる。各無端帯状印刷プレート１３ｂ〜１３ｆは第２の印刷装置１８から第６の印刷装置２２に向うに従って各版面の数が、例えば１枚ずつ順次増加したり、減少するようになっている。
【００３５】
この印刷機械による製造装置１０において、給紙ロール１１から繰り出される連続フォーム１２には、図３〜図９に示すように、両側のマージナルゾーン１５にパーフォレーション装置（図示せず）によりパンチング孔１６が等ピッチ、例えば１／２インチ間隔で穿設される。パンチング孔１６は連続フォーム１２の送りを正確に案内するガイド孔として構成され、このパンチング孔１６により連続フォーム１２の長手方向（天地方向）の送りが正確に案内される。
【００３６】
給紙ロール１１から送り出された連続フォーム１２はガイドローラを経て第１の印刷装置１７に送られ、この第１の印刷装置１７でフォーム表面に印刷が好適に実施される。第１の印刷装置１７では、図３に示すように、図形紋様３１が各単位フォーム１４毎の所要の２次元位置に順次施される。図形紋様３１の例は猫のデザイン図形であるが、この図形以外に、種々の動物図形、風景図形、美術品の図形、車や家の図形やキャラクタの図形であってもよく、図形紋様３１は種々考えられる。連続フォーム１２を構成する単位フォーム１４の大きさは、例えばＡ４サイズまたはＡ１〜Ａ３サイズ；Ｂ１〜Ｂ４サイズの大きさが適宜選択される。第１の印刷装置１７では、図３に示すように連続フォーム１２の各単位フォーム１４に必要なページ番号がナンバリング印刷で付与されてもよい。ページ番号を付して連続フォーム１２の各単位フォーム１４を印刷すると、枚葉物の紙葉３０を所要の枚数ずつセット管理が容易となる。第１の印刷装置１７で所要枚数、例えば１００枚ずつのページ番号でセットが容易となる印刷を施してもよい。
【００３７】
再び図１に示すように、第１の印刷装置１７で図形紋様３１が各単位フォーム１４毎に印刷された連続フォーム１２は、続いて第２の印刷装置１８、第３の印刷装置１９、第４の印刷装置２０、第５の印刷装置２１および第６の印刷装置２２に順次送られる。第２ないし第６の印刷装置１８〜２２では、各単位フォーム１４のフォーム表面に図柄紋様３５が印刷される。第２〜第６の印刷装置１８〜２２は複数桁数字ずつ、例えば２桁の数字ずつ複数組、例えば５組の数字からなる多数桁、例えば１０桁のランダム識別番号（ランダムアクセス番号）が印刷される。本実施形態では、第２の印刷装置１８〜第６の印刷装置２２により、印刷されたランダム識別番号の数字配列は、ランダム識別字紋を構成している。ランダム識別字紋は、記号紋様３２や文字紋様３３および管理識別紋様３４を構成したり、図形紋様３１の一部に組み込まれる。単位フォーム１４に印刷された図形紋様３１、記号紋様３２、文字紋様３３、ランダム識別番号が付与された管理識別紋様３４の数字配列は、図４ないし図８に示すように、例えば２桁ずつの数字を縦、横、斜めの線状に並べたり、または湾曲形状の曲線状に配設したり、あるいはそれらを順次組み合せた配列構成に構成される。図柄紋様３５は、図形紋様３１、記号紋様３２、文字紋様３３および管理識別紋様３４でランダム識別字紋を構成している。
【００３８】
また、管理識別紋様３４は、数桁〜十数桁の多数桁、例えば１０桁のランダム識別数字（字紋）の数字配列を直線状あるいは曲線状等に配列して構成される図柄紋様の識別紋様あるいは仕分け紋様である。図２および図８に示した管理識別紋様３４は、１０桁の数字をランダム配列したランダム識別数字（字紋）の例を示したが、このランダム識別数字（字紋）は、各無端帯状印刷プレート１３（１３ｂ〜１３ｆ）に構成される版面の周期性を利用して構成されるものであるので、複数桁（２桁）数字ずつ複数組（５組）組み合せた数字配列は規則性を有する。このため、管理識別紋様３４の例えば１０桁のランダム数字（字紋）は識別性があり、各単位フォーム１４毎、ひいては印刷された枚葉物の紙葉３０毎に区別して、後述するようにランダム識別番号（字紋）を個別管理することができる
【００３９】
さらに、連続フォーム１２の各単位フォーム１４は、第１の印刷装置１７から第６の印刷装置２２により、印刷される図柄紋様３５（図形紋様３１、記号紋様３２、文字紋様３３および管理識別紋様３４）は下地印刷を構成するものである。図３に示される図形紋様３１は普通文字や微細文字、マイクロ文字の各デザイン文字（英文字や図記号）が組み合されて用いられる。
【００４０】
第１の印刷装置１７では、プレートシリンダ２３とガイドシリンダ２４との間に無端帯状印刷プレート１３ａが巻き掛けられており、無端帯状印刷プレート１３ａにインキローラ２５（２５ａ，２５ａ）から所要の色の印刷インキが転写される。一方、給紙ロール１１から繰り出される連続フォーム１２はプレートシリンダ２３ａと圧力胴のプレートシリンダ２６ａ間に案内され、ここで連続フォーム１２に無端帯状印刷プレート１３ａが重ね合され、その印刷プレート１３ａの版面から図４に示す図形紋様３１が転写される。図形紋様３１を印刷する無端帯状印刷プレート１３ａでは各単位フォーム１４にページ付けの印刷を形成するようにしてもよい。図形紋様３１には、例えば猫の目や腹部、尻尾の部分には印刷のないスペース領域が形成される。
【００４１】
第１の印刷装置１７で連続フォーム１２の各単位フォーム１４に図形紋様３１が印刷された後、連続フォーム１２は第２の印刷装置１８〜第６の印刷装置２２に順次案内される。各印刷装置１８〜２２では、連続フォーム１２の各単位フォーム１４に図形紋様３１のスペース部分や、記号紋様３２、文字紋様３３および管理識別紋様３４の各部分に、各無端帯状印刷プレート１３ｂ〜１３ｆにより２桁（複数桁）ずつの数字が所要の２次元レイアウト位置に図４ないし図８に示すように順次印刷される。第２の印刷装置１８から第６の印刷装置２２の全体的な構成は、第１の印刷装置１７と同じであり、異ならない。
【００４２】
主に異なる点は、第２の印刷装置１８から第６の印刷装置２２の各無端帯状印刷プレート１３ｃ〜１３ｆを構成する版面の数と、各版面に形成される２桁（複数桁）数字の２次元レイアウト配置位置である。
【００４３】
そして、図４ないし図８に示すように、第２から第６の印刷装置１８〜２２の各無端帯状印刷プレート１３ｂ〜１３ｆにより図柄紋様３５が印刷される。具体的には、第２から第６の印刷装置１８〜２２は、連続フォーム１２の各単位フォーム１４に、図形紋様３１のスペース部分および記号模様３２、文字紋様３３および管理識別紋様３４を構成するランダム識別字紋（数字）の図柄紋様３５、例えば１０桁の数字配列が、２桁（複数桁）の数字ずつ５組（複数組）分順次重ね印刷して加えて構成される。これにより、図８に示すように、連続フォーム１２の各単位フォーム１４に所要桁数、例えば１０桁の数字配列からなるランダム識別字紋の図柄紋様３５（図形紋様３１、記号紋様３２、文字紋様３３および管理識別紋様３４）が印刷されていく。
【００４４】
連続フォーム１２の各単位フォーム１４に印刷される図柄紋様３５は、図形紋様３１、記号紋様３２、文字紋様３３および管理識別紋様３４を全て印刷したものでなくてもよく、図形紋様３１と管理識別紋様３４だけを組み合せたものでも、あるいは図形紋様３１だけでもよく、また、管理識別紋様３４だけでもよく、図柄紋様３５の組合せは種々考えられる。
【００４５】
図２や図８に示す図形紋様３１の例では、猫の目や腹部および尻尾の部分に所要桁数、例えば１０桁数字の数字配列のランダム識別数字（字紋）を印刷した図柄紋様３５の例を示した。猫の目の部分には、１０桁のランダム識別数字が白抜き数字で形成された例を示した。また、記号紋様３２では、変形Ｖの字やボックス形状、円形等の記号紋様３２をランダム識別数字（字紋）で構成した例を、さらに、文字紋様３３ではアルファベットの英文字をランダム識別数字（字紋）の数字配列で構成した例を示した。
【００４６】
記号紋様３２には、図２および図８に示した紋様以外、記号紋様を種々の記号の紋様で構成することができる。文字紋様３３は、アルファベットの英文字以外、中国語を含む漢字やひらがな、カタカナ、ギリシャ文字やハングル文字等の外国語文字の紋様であってもよい。
【００４７】
また、連続フォーム１２の各単位フォーム１４、ひいては枚葉物の紙葉に印刷される図柄紋様３５（図形紋様３１、記号紋様３２、文字紋様３３および管理識別紋様３４）には所要桁数、例えば１０桁の数字配列したランダム識別字紋（番号）が、普通文字（数字）と微細文字（数字）またはマイクロ文字（数字）とで多段状に表わされる例を示した。
【００４８】
ここに普通文字（数字）とは、文字の大きさが１０ｐｔ〜１５ｐｔの文字フォントで作成される大きさの文字（数字）をいい、微細文字とは文字の大きさが２ｐｔ〜６ｐｔの文字フォントで作成される大きさの微小文字（数字）をいう。また、マイクロ文字とは文字の大きさが１ｐｔ（≒０．３５１４ｍｍ）以下の極微細文字（数字）をいい、例えば０．４ｐｔ〜１ｐｔの文字フォントで作成される極微小文字で、肉眼では文字として認識することが困難な極微細文字をいう。マイクロ文字は、数字や文字が単なるドットや細線として認識される。
【００４９】
本実施形態では、図２および図８に示すように、連続フォーム１２の各単位フォーム１４や枚葉物の紙葉に印刷される図形紋様３１の一部のランダム識別数字（字紋）の数字配列を、１２ｐｔの普通文字の数字配列の上下近傍に、２ｐｔの微細文字の数字配列と０．６ｐｔのマイクロ文字の数字配列を多段状に３段併記した例を示した。
また、管理識別紋様３４のランダム識別字紋（数字）の数字配列では、１２ｐｔの普通文字の数字配列の下側近傍に、２ｐｔの微細文字の数字配列と０．６ｐｔのマイクロ文字の数字配列とを併記して多段状に３段併記した例を示した。普通文字と微細文字とマイクロ文字を多段状に並列状に併記した数字配列例は、一例として図２のＡ部およびＢ部を拡大した図９の（Ａ）および（Ｂ）に示すように表わされる。さらに、印刷物である枚葉物の紙葉３０に記号紋様３２および文字紋様３３を構成する図２のＣ部〜Ｋ部は、図１０に拡大した（Ａ）〜（Ｉ）に示すように表わされる。
【００５０】
図９および図１０から分かるように、ランダム識別数字（字紋）を付与した図形紋様３１、記号紋様３２、文字紋様３３および管理識別紋様３４は、数字配列が縦、横、斜めの直線あるいは曲線、または湾曲した曲線状に配設される。ランダム識別数字（字紋）の数字配列の配列自由度は非常に大きい。普通文字と微細文字とマイクロ文字の多段状の併記は全てのランダム識別数字（字紋）の数字配列に形成する必要はない。普通文字と微小文字またはマイクロ文字との多段併記は管理識別紋様３４または図形紋様３１の少なくとも一部のランダム識別番号（字紋）の数字配列だけに記載してもよい。
【００５１】
なお、図２の枚葉物の紙葉３０や図８に示す連続フォーム１２の各単位フォーム１４に印刷された図形紋様３１の近くに、各無端帯状印刷プレートの版面に形成される２桁の数字の一桁目の数字だけが組み合された大きな数字配列が必要に応じて、例えば２０ｐｔから５０ｐｔの文字の大きさで印刷されている。
【００５２】
ところで、本実施形態の印刷機械による製造装置１０では、第１の印刷装置１７により図形紋様３１が印刷された後、第２の印刷装置１８ないし第６の印刷装置２２により、図柄紋様３５（３１，３２，３３，３４）が印刷される。図柄紋様３５は連続フォーム１２の各単位フォーム１４の図形紋様３１欄、記号紋様３２欄、文字紋様３３欄および管理識別紋様３４欄に、複数桁（例えば２桁）の数字ずつ複数組（例えば５組）組み合せた所要桁数（例えば１０桁数字）のランダム識別番号（字紋）が印刷される。
【００５３】
本実施形態では、図４に示すように、第２の印刷装置１８の無端帯状印刷プレート１３ｂにより１組目複数桁（２桁）の数字が、単位フォーム１４毎に種々の２次元レイアウト位置に順次印刷される。第３の印刷装置１９の無端帯状印刷プレート１３ｃでは、図５に示すように、２組目の複数桁（２桁）の数字が、また、第４の印刷装置２０の無端帯状印刷プレート１３ｄでは、３組目の複数桁（例えば２桁）の数字が図６に示すように、それぞれ単位フォーム１４毎に順次重ねて印刷される。さらに、第５の印刷装置２１の無端帯状印刷プレート１３ｅでは、４組目の複数桁（例えば２桁）の数字が図７に示すように、また、第６の印刷装置２２の無端帯状印刷プレート１３ｆでは、５組目の複数桁（例えば２桁）の数字が図８に示すように、それぞれ単位フォーム１４毎に順次重ねて印刷される。第２ないし第６の印刷装置１８〜２２により連続フォーム１２の各単位フォーム１４毎に、複数桁（２桁）＊複数組（５組）の多数桁、例えば１０桁のランダム識別番号が印刷される。
【００５４】
連続フォーム１２の各単位フォーム１４に２桁の数字ずつからなるランダム識別番号が順次印刷された後、連続フォーム１２は、図１に示すように、検査装置３７に導かれて、印刷の位置ずれや印刷ムラ等が検査される。検査された連続フォーム１２は、続いて、切断機３８に案内され、この切断機３８で連続フォーム１２はマージナルゾーン１５が切り落とされ、各単位フォーム毎の印刷物である枚葉物の紙葉３０が製造される。枚葉物の紙葉３０はスタッカ３９に送られて堆積される。
【００５５】
検査後に連続フォーム１２をコンピュータ等で後処理する必要がある場合には、連続フォーム１２のマージナルゾーン１５を切断機３８で切断することなく、切断機３８を素通りしてジグザグ折り装置（図示せず）に送られる。
【００５６】
このジグザグ折り装置は、例えば、特許第５３２４９５０号公報に記載された本発明者の出願に係る筋折り付ジグザグ折り装置が用いられて折り畳まれる。このジグザグ折り装置は、連続フォームのフォーム幅方向に沿って単位フォーム１４毎に交互に山状凸部と谷状凹部のフォーム筋折り付け（折目）が行なわれる。ジグザグ折り装置は筋折り付けプレス等のプレス折り装置を備えている。この筋折り付けプレスにより連続フォーム１２は単位フォーム１４毎にジグザグ折りを容易にする山折りと谷折りが交互に実施される。
【００５７】
ところで、本実施形態の印刷機械による製造装置１０では、各印刷装置１７〜２２に用いられる無端帯状印刷プレート１３は、特許第５２２５２３７号公報や特許第５３８９７６９号公報（引用文献１および２参照）に記載の可撓性を有する長尺の樹脂凸版印刷板を用いて製作される。製作された樹脂凸版印刷板を複数枚長手方向に順次接続していき、最後に長手方向両端を接続して、無端状に形成され、無端帯状印刷プレート１３が作製される。樹脂凸版印刷板を順次接続して無端帯状印刷プレート１３の製作は、各印刷装置１７，１８，１９，２０，２１，２２の据付現場で行なわれ、各印刷装置１７，１８，１９，２０，２１，２２にそれぞれ巻き付けられる。
【００５８】
各無端帯状印刷プレート１３（１３ａ，１３ｂ，１３ｃ，１３ｄ，１３ｅ，１３ｆ）は、版胴あるいは本体胴を形成する無垢のプレートシリンダ２３とガイドシリンダ（ガイドローラ）２４との間に掛け渡され、同期化して運転される。各無端帯状印刷プレート１３（１３ａ〜１３ｆ）は一廻りの長手方向（天地方向）長さが、数ｍ〜数１０ｍ、例えば７ｍ〜５０ｍの間で適宜選択される。このように、各無端帯状印刷プレート１３（１３ａ〜１３ｆ）は、所要の長手方向長さを有し、同期化して運転される。
【００５９】
具体的には、第１の印刷装置１７および第２の印刷装置１８のプレートシリンダ２３とガイドシリンダ２４とに掛け渡される無端帯状印刷プレート１３（１３ａ，１３ｂ）は、好ましくはそれぞれ等しい長手方向長さ、例えば単位フォームｎ枚（１００枚）分の長さを有し、同期化して運転される。
【００６０】
これに対し、第２の印刷装置１８、第３の印刷装置１９、第４の印刷装置２０、第５の印刷装置２１および第６の印刷装置２２の各プレートシリンダ２３とガイドシリンダ２４とに掛け渡される無端帯状印刷プレート１３ｂ〜１３ｆは、長手方向長さが、版面１枚分ずつ短くなったり、あるいは長くなる。例えば、第２の印刷装置１８の無端帯状印刷プレート１３ｂが１回転で連続フォーム１２の各単位フォーム１４をｎ枚（１００枚）分印刷するとすると、第３の印刷装置１９は、無端帯状印刷プレート１３ｃが旋回して１回転すると、連続フォーム１２の各単位フォーム１４は（ｎ−１）枚（９９枚）、または（ｎ＋１）枚分印刷される。また、第４の印刷装置２０は、無端帯状印刷プレート１３ｄが１回転すると、連続フォーム１２の各単位フォーム１４を（ｎ−２）枚（９８枚）、または（ｎ＋２）枚分印刷される。
【００６１】
また、第４の印刷装置２０は無端帯状印刷プレート１３ｄが１回転すると、連続フォーム１２の各単位フォーム１４は（ｎ−３）枚（９７枚）または（ｎ＋３）枚分印刷され、第５の印刷装置２１は無端帯状印刷プレート１３ｅが１回転すると、連続フォーム１２の各単位フォーム１４を（ｎ−４）枚（９６枚）または（ｎ＋４）枚分印刷される。第６の印刷装置２２は無端帯状印刷プレート１３ｆが１回転すると、連続フォーム１２の各単位フォーム１４は（ｎ−５）枚（９５枚）または（ｎ＋５）枚分印刷される。
【００６２】
第２の印刷装置１８、第３の印刷装置１９、第４の印刷装置２０、第５の印刷装置２１および第６の印刷装置２２は、連続フォーム１２の各単位フォーム１４に構成されるフォーム表面にランダム識別番号の数字配列を印刷するもので、フォーム表面に複数桁（２桁）ずつの数字を２次元位置を異にして所望の位置にそれぞれ印刷するものである。この実施形態では、ランダム識別番号は複数桁（２桁）ずつ複数組（５組）で例えば１０桁の数字配列のランダム識別番号が印刷される。
【００６３】
第２〜第６の印刷装置１８〜２２は、同期駆動され、無端帯状印刷プレート１３ｂ〜１３ｆがそれぞれ旋回回転することにより、連続フォーム１２の各単位フォーム１４のフォーム面に、ランダム識別番号を構成する各組複数桁（２桁）の数字ずつ順次印刷される。無端帯状印刷プレート１３ｂ〜１３ｆは旋回回転が順次継続して行なわれ、１組目（第２の印刷装置１８）の無端帯状印刷プレート１３ｂの旋回回転に対し、２組目の無端帯状印刷プレート１３ｃは１回転と１つの版面に相当する１つの単位フォーム分ずつ、３組目の無端帯状印刷プレート１３ｄは１回転と２つの版面に相当する２つの単位フォーム分ずつそれぞれずれて印刷される。４組目の無端帯状印刷プレート１３ｅは１回転と３つの版面に相当する３つの単位フォーム分ずつ、５組目の無端帯状印刷プレート１３ｆは１回転と４つの版面に相当する４つの単位フォーム分ずつ、それぞれずれて印刷される。
【００６４】
具体的には、第２の印刷装置１８の無端帯状印刷プレート１３ｂは２桁（複数桁）の数字列が（００，０１，０２，０３，…，ｎ）の順にｎ（例えば１００）個の版面が形成されており、第３の印刷装置１９の２組目の無端帯状印刷プレート１３ｃは数字列が（ｎ−１）個の版面、第４の印刷装置２０の３組目の無端帯状印刷プレート１３ｄは数字列が（ｎ−２）個の版面、第５の印刷装置２１の４組目の無端帯状印刷プレート１３ｅは数字列が（ｎ−３）個の版面、第６の印刷装置２２の５組目の無端帯状印刷プレート１３ｆは数字列が（ｎ−４）個の版面が同様にしてそれぞれ形成される。第２の印刷装置１８〜第６の印刷装置２２の各無端帯状印刷プレート１３ｂ〜１３ｆは第２の印刷装置１８から第６の印刷装置２２に向って、版面の数が１つずつ減少しており、この版面減少に伴い、各無端帯状印刷プレート１３ｂ〜１３ｆは、最初（１組目）の印刷プレート１３ｂが旋回して１回転する都度、２組目以降の印刷プレート１３ｃ〜１３ｆは２桁の数字が形成された版面が１つずつずれるように組み合される。
【００６５】
今、ｎ＝１００とし無端帯状印刷プレート１３ｂの各版面に（００，０１，０２，…，０９）に順次形成され、連続フォーム１２の単位フォーム１４に図１１に示すように、２桁の数字が所要のレイアウト位置で印刷される。１００個の版面に順次連続する２桁の数字が形成された無端帯状印刷プレート１３を第２の印刷装置１８の無端帯状印刷プレート１３ｂとすると、第３の印刷装置１９の無端帯状印刷プレート１３ｃは９９の版面（００，０１，０２，…，９８）で構成され、第４の印刷装置２０〜第６の印刷装置２２の無端帯状印刷プレート１３ｄ〜１３ｆはそれぞれ９８の版面（００，０１，０２，…，９７）、９７の版面（００，０１，０２，…，９６）、９６の版面（００，０１，０２，…，９５）、９５の版面（００，０１，０２，…，９４）で構成される。したがって、ｎ＝１００とすると、第２の印刷装置１８〜第６の印刷装置２２に備えられる各無端帯状印刷プレート１３ｄ〜１３ｆの１回転による版面の数はそれぞれ（ｎ，ｎ−１，ｎ−２，ｎ−３，ｎ−４）となる。
【００６６】
このため、第２の印刷装置１８に用いられる無端帯状印刷プレート１３ｂの版面の数を１００枚（ｎ＝１００；００，０１，０２，…，９９）とすると、連続フォーム１２の各単位フォーム１４の１００枚分は、図１１に示すように、１組目の無端帯状印刷プレート１３ｂの１回転の旋回により印刷される。同期して旋回される第３の印刷装置１９の２組目の無端帯状印刷プレート１３ｃは｛１回転（００，０１，０２，…，９８の版面）＋２回転目の最初の１つの版面（００）｝で図１２に示すように、連続フォーム１２の単位フォーム１４に印刷される。同様にして、第４の印刷装置２０の３組目の無端帯状印刷プレート１３ｄは｛１回転（００，０１，０２，…，９７の版面）と２回転目の最初の２つの版面（００，０１）｝で、第５の印刷装置２１の４組目の無端帯状印刷プレート１３ｅは｛１回転（００，０１，０２，…，９６の版面）と２回転目の最初の３つの版面（００，０１，０２）｝で、さらに、第６の印刷装置２２の５組目の無端帯状印刷プレート１３ｆは｛１回転（００，０１，０２，…，９５の版面）と２回転目の最初の４つの版面（００，０１，０２，０３）｝で図１３ないし図１５に示すように連続フォーム１２の各単位フォーム１４に印刷される。
【００６７】
第２〜第６の印刷装置１８〜２２の各無端帯状印刷プレート１３ｂ〜１３ｆは、（ｎ）枚，（ｎ−１）枚，（ｎ−２）枚，（ｎ−３）枚，（ｎ−４）枚の各版面がそれぞれ形成されている。各版面には管理表（１）４５のＮｏ．１〜Ｎｏ．５に表示された２桁の数字が所要の２次元レイアウト位置に配設されて順次形成される。管理表（１）４５のＮｏ．１〜Ｎｏ．５は、初期値を（００）とした２桁の数字が（ｎ）個（００，０１，０２，…，９８，９９）、（ｎ−１）個（００，０１，０２，…，９７，９８）、（ｎ−２）個（００，０１，０２，…，９６，９７）、（ｎ−３）個（００，０１，０２，…，９５，９６）、（ｎ−４）個（００，０１，０２，…，９４，９５）分、順次縦配列される。この縦配列の２桁の数字（ｎ）個，（ｎ−１）個，（ｎ−２）個，（ｎ−３）個，（ｎ−４）個は、各無端帯状印刷プレート１３ｂ〜１３ｆの旋回回転１回転分に相当する。管理表（１）４５の通し番号が大きくなると、各無端帯状印刷プレート１３ｂ〜１３ｆは旋回回転数が２廻り目、３廻り目と順次大きくなる。管理表（１）４５も通し番号が大きくなるに従って、Ｎｏ．１〜Ｎｏ．５の２桁の数字配列が繰り返される。
【００６８】
ところで、管理表（１）４５は、パソコンにエクセル機能の表計算ソフトを用いて作成される。管理表（１）４５には、シリアル番号である通し番号の欄４６と、Ｎｏ．１〜Ｎｏ．５の２桁の数字配列記載欄４７と、Ｎｏ．１〜Ｎｏ．５の２桁数字の組合せ配列で構成される１０桁数字のランダム識別番号を表示した管理識別番号欄４８と、枚葉物の紙葉３０の配布先等の所要事項を記載したＣＯＮＴＥＮＴＳ欄４９とを備える。２桁の数字配列記載欄４７に表示されたＮｏ．１〜Ｎｏ．５の数字配列は、第２〜第６の印刷装置１８〜２２の無端帯状印刷プレート１３ｂ〜１３ｆの各版面に形成される２桁数字の数表示例である。管理表（１）４５に記載されたリストは、パソコン上で管理される。パソコンに管理表（１）４５を表示した管理テーブルを用いれば、パソコン上の管理テーブルに表示された管理表（１）４５から、管理識別番号を検索すれば、通し番号とＣＯＮＴＥＮＴＳの内容を確認することができる。したがって、連続フォーム１２の単位フォーム１４や枚葉物の紙葉３０の図柄紋様３５（管理識別紋様３４や図形紋様３１）のランダム識別番号の１０桁の数字配列を確認することにより、通し番号とＣＯＮＴＥＮＴＳの内容を同時に容易に検索することができ、印刷物である枚葉物の紙葉３０の個別管理が可能となる。
【００６９】
本実施形態に係る印刷機械の製造装置１０では、第１〜第６の印刷装置１７〜２２が同期して駆動され、各無端帯状印刷プレート１３ａ〜１３ｆに形成される各版面の間に回転による位置ずれが生じることなく運転される。
【００７０】
第１の印刷装置１７の無端帯状印刷プレート１３ａでは、連続フォーム１２に図３に示すように図形紋様３１を印刷した各単位フォーム１４が順次形成される。連続フォーム１２の単位フォーム１４は図形紋様３１とともにページ付けの印刷ができるように構成してもよい。図形紋様３１は各単位フォーム１４毎に同じ紋様の図形でも、種々異なる紋様の図形を構成してもよい。
【００７１】
図形紋様３１が印刷された連続フォーム１２は、続いて図柄紋様３５を印刷する第２の印刷装置１８に送られる。第２の印刷装置１８では、１組目の無端帯状印刷プレート１３ｂにより、連続フォーム１２の単位フォーム１４に最初の２桁（複数桁）の数字（００）が所要の２次元レイアウト位置に印刷される。各無端帯状印刷プレート１３ｂ〜１３ｆには各版面に管理表（１）４５のＮｏ．１〜Ｎｏ．５で作成された数字配列の２桁の数字が順次形成される。各無端帯状印刷プレート１３ｂ〜１３ｆは第２〜第６の印刷装置１８〜２２毎に組を構成している。各組の無端帯状印刷プレート１３ｂ〜１３ｆは、版面の数がそれぞれ異なり、第２の印刷装置１８から第６の印刷装置２２に向うに従って、１つずつ減少する。
【００７２】
そして、第２の印刷装置１８の無端帯状印刷プレート１３ｂの１回転により連続フォーム１２の各単位フォーム１４に印刷される２桁の数字は、（００）からスタートして（０１），（０２），…，（９８），（９９）の１００枚相当分が順次印刷される。１０１枚相当分から無端帯状印刷プレート１３ｂは２回転目に入って印刷が続けられ、印刷は順次繰り返される。
【００７３】
続いて、連続フォーム１２は第３の印刷装置１９、第４の印刷装置２０、第５の印刷装置２１および第６の印刷装置２２に順次送られ、第３〜第６の印刷装置１９〜２２の２組目以降の各無端帯状印刷プレート１３ｃ〜１３ｆにより、次の２桁ずつの数字が図５〜図８で示すように順次印刷される。第２〜第６の印刷装置１８〜２２で印刷される各組の２桁の数字は連続フォーム１２の単位フォーム１４に２次元レイアウト位置を互いに異にして所要の位置に印刷される。
【００７４】
このため、連続フォーム１２が第１〜第６の印刷装置１７〜２２を通り、各無端帯状印刷プレート１３ａ〜１３ｆで印刷されると、図８に示すように、図柄紋様３５が下地紋様として順次得られる。図８に構成される図柄紋様３５（図形紋様３１、記号紋様３２、文字紋様３３、管理識別紋様３４）は、２桁ずつの数字を５組（複数組）組み合せて１０桁数字のランダム識別番号（字紋）が構成される。１０桁の数字配列からなるランダム識別番号は、文字の大きさの異なる複数段の数字列で構成される。図柄紋様３５のうち、管理識別紋様３４と図形紋様３１の文字配列は、少なくとも一方の数字配列が図９（Ａ）および図９（Ｂ）に示すように、文字の大きさが普通文字、例えば１２ｐｔの数字列と、微細文字、例えば２ｐｔの数字列またはマイクロ文字、例えば０．６ｐｔの数字列が複数段、例えば３段並列状に併記されて構成される。記号紋様３２や文字紋様３３の文字配列は、図１０（Ａ）〜図１０（Ｉ）に示すように、図形紋様３１や管理識別紋様３４と同様に多段並列状併記で全部あるいは一部を構成してもよい。
【００７５】
ところで、第１〜第６の印刷装置１７〜２２の各無端帯状印刷プレート１３ａ〜１３ｆにより印刷される連続フォーム１２の単位フォーム１４は、図１７に示すように、図柄紋様３５（図形紋様３１、記号紋様３２、文字紋様３３、管理識別紋様３４）を構成する数字配列の数表示が各単位フォーム１４，１４毎に異なる。連続フォーム１２の各単位フォーム１４には、図柄紋様３５に、例えば１０桁の数字配列のうち、２桁ずつの数字が異なる数字配列のランダム識別番号が印刷され、同じ数字配列（ランダム識別番号）の図柄紋様３５の単位フォーム１４，１４が重複して印刷されることはない。
【００７６】
例えば、第２〜第６の印刷装置１８〜２２の各無端帯状印刷プレート１３ｂ〜１３ｆを使用して連続フォーム１２に印刷し、各無端帯状印刷プレート１３ｂ〜１３ｆの版面の数をそれぞれ（ｎ），（ｎ−１），（ｎ−２），（ｎ−３）および（ｎ−４）とすると、無端帯状印刷プレート１３ｂ〜１３ｆの版面の数の積だけ連続フォーム１２の各単位フォーム１４，１４，…に印刷される図柄紋様３５を構成する数字配列（ランダム識別番号）が異なる。
【００７７】
したがって、第２の印刷装置１８の無端帯状印刷プレート１３ｂの版面の数ｎを１００とすると、本実施形態に係る印刷機械の製造装置１０では、連続フォーム１２の各単位フォーム１４，１４，…に印刷される図柄紋様３５は、１０桁数字の数字配列で構成されるランダム識別番号では１００＊９９＊９８＊９７＊９６＝９，０３４，５０２，４００通り異なるランダム識別番号が印刷された単位フォーム１４が構成される。同じランダム識別番号が付された図柄紋様３５は、連続フォーム１２の単位フォーム１４では９，０３４，５０２，４００番目の印刷で初めて表われる。したがって、連続フォーム１２の各単位フォーム１４，１４に印刷される図柄紋様３５は、１０桁の数字配列が全て異なり、連続フォーム１２の各単位フォーム１４は、印刷された数字配列のランダム識別番号をウォッチすることにより、図柄紋様３５を識別して検索することができ、印刷物の個別管理を容易に行なうことができる。
【００７８】
印刷される連続フォーム１２の各単位フォーム１４を切断機３８で切断して枚葉物の紙葉３０を製造すると、連続して作成される印刷物は枚葉物の紙葉３０毎に図柄紋様３５の数字配列を全て異にし、印刷物である枚葉物の紙葉３０は図柄紋様３５のランダム識別番号から、印刷物の個別管理を行なうことができ、セキュリティ性の高い用紙およびこの用紙の製造装置１０が得られる。
【００７９】
また、本実施形態の製造装置１０では、連続フォーム１２の各単位フォーム１４に印刷される図柄紋様３５が１０桁の数字配列（あるいは文字配列）であるとき、印刷される枚葉物の各紙葉３０には同じ数字配列（文字配列）の図柄紋様３５が重複して表われることはない。枚葉物の各紙葉３０は、図柄紋様３５をそれぞれ異にして同じ図柄紋様３５は得られないので、印刷物の識別が良好となり、セキュリティ性の高い用紙およびこの用紙の製造装置１０を提供することができる。
【００８０】
さらに、連続フォーム１２の各単位フォーム１４に印刷される図柄紋様３５の数字配列（文字配列）は、所要の規則性をもってランダムに配列されているため、一見ランダム配列の図柄紋様３５により、ランダム識別番号による簡易暗号化が図れる。簡易暗号化された枚葉物の各紙葉３０は個別管理を行なうことができ、また、管理表（１）４５を用いてパソコン等で数字配列のランダム識別番号を検索すれば、コンテンツの内容を通し番号とともに知ることができ、枚葉物の各紙葉３０を極めて重要なスマートシートとして活用することができる。
【００８１】
しかも、連続フォーム１２の各単位フォーム１４に普通文字とマイクロ文字または微細文字とを組み合せた数字配列（文字配列）を縦、横、斜め方向や湾曲した曲線状に多段状に併記して配列した図柄紋様３５を作成できる。その上、この図柄紋様３５のランダム識別番号により、個別管理を行なうことができ、模倣防止や偽造防止を図ることができ、セキュリティ性の高い用紙およびその用紙の製造装置となる。
【００８２】
加えて、本実施形態の（印刷機械を用いた）製造装置１０で製造された連続フォーム１２の各単位フォーム１４や枚葉物の紙葉３０は、文字の大きさが普通文字とマイクロ文字または微細文字とが多段状に併記された数字配列（文字配列）の図柄紋様３５が印刷されており、連続フォーム１２の各単位フォーム１４や枚葉物の紙葉３０を電子写真複写機で複写しても、複写物は図柄紋様３５の一部が潰れ再現性が得られない。したがって、偽造防止が図れる偽造防止シートやスマートシートとして活用でき、セキュリティ性の高い用紙およびこの用紙の製造装置１０を提供することができる。
【００８３】
なお、数字や文字の書体は、楷書体、ゴシック体等、種々の書体で構成され、図１８で示すＡＲＣＡＲＴＥＲフォントの数字を用いて作成してもよい。
【００８４】
［第２の実施形態］
本発明の第１の実施形態では、製造装置１０に備えられる第２〜第６の印刷装置１８〜２２の各無端帯状印刷プレート１３ｂ〜１３ｆは、各版面に形成される２桁（複数桁）の数字が（００）の初期値からスタートする例を示した。第２の実施形態は、管理表（２）５５のＮｏ．１〜Ｎｏ．５の２桁数字の数字配列に示すように、（第２〜第６の印刷装置１８〜２２の各無端帯状印刷プレート１３ｂ〜１３ｆの各版面に形成される）２桁数字の初期値が（００）からではなく、（０１）からスタートし、第２の印刷装置１８の無端帯状印刷プレート１３ｂは、最後の版面が（５０）で終了する例を示す。
【００８５】
そして、第３〜第６の印刷装置１９〜２２の各無端帯状印刷プレート１３ｃ〜１３ｆは、版面の数が図１９に示すように、（ｎ＋１），（ｎ＋２），（ｎ＋３），（ｎ＋４）と１回転すると、順次１つずつ多くなる例を示す。その他の印刷機械による製造装置１０Ａの構成は、第１の実施形態に示される製造装置１０と異ならないので、同じ構成には同一符号を付して重複説明を省略ないし簡略化する。
【００８６】
第２の実施形態に係る印刷機械の製造装置１０Ａでは、第１の印刷装置１７の無端帯状印刷プレート１３ａにより、給紙ロール１１から繰り出される連続フォーム１２に図形紋様３１が印刷される。印刷される連続フォーム１２の各単位フォーム１４には必要に応じてページ付けが行なわれる。無端帯状印刷プレート１３ａで印刷される図形紋様３１は連続フォーム１２の各単位フォーム１４が同じ紋様の図形であっても、各単位フォーム１４毎に異なる紋様の図形であってもよい。
【００８７】
第１の印刷装置１７により図柄紋様３５が印刷された連続フォーム１２は、続いて第２〜第６の印刷装置１８〜２２に順次案内され、第２〜第６の印刷装置１８〜２２の各無端帯状印刷プレート１３ｂ〜１３ｆにより第１の実施形態と同様に、図柄紋様３５が順次印刷される。第２〜第６の印刷装置１８〜２２の各無端帯状印刷プレート１３ｂ〜１３ｆは、１回転による版面の数が（ｍ），（ｍ＋１），（ｍ＋２），（ｍ＋３）および（ｍ＋４）と順次１つずつ増加する例を示す。
【００８８】
今、第２の印刷装置１８の無端帯状印刷プレート１３ｂは、１回転により連続フォーム１２は各単位フォーム１４の所要の２次元レイアウト位置に、図１９で示されるＮｏ．１の２桁の数字（０１，０２，…，４８，４９，５０）の数字列が印刷される。１回転による無端帯状印刷プレート１３ｂの版面の数をｍ＝５０とすると、第３の印刷装置１９の無端帯状印刷プレート１３ｃの１回転は、無端帯状印刷プレート１３ｂの（１回転＋版面１枚分）の送りに相当する。この無端帯状印刷プレート１３ｃは、１回転により管理表（２）５５のＮｏ．２の２桁の数字（０１，０２，…，５０，５１）の数字列が順次２次元レイアウト位置を異にして印刷される。同様に第４の印刷装置２０の無端帯状印刷プレート１３ｄの１回転は、第２の印刷装置１８の無端帯状印刷プレート１３ｂの（１回転＋版面２枚分）の送りに相当する。無端帯状印刷プレート１３ｄは、管理表（２）５５のＮｏ．２の２桁の数字（０１，０２，…，５１，５２）の数字列が順次２次元レイアウト位置を異にして印刷される。さらに、第５の印刷装置２１の無端帯状印刷プレート１３ｅは、１回転でＮｏ．４の２桁の数字（０１，０２，…，５２，５３）の数字列が順次２次元レイアウト位置を異にして印刷され、その間に第２の印刷装置１８の無端帯状印刷プレート１３ｂは（１回転＋版面３枚分）の送りに相当する。さらに、第６の印刷装置２２は無端帯状印刷プレート１３ｆの１回転でＮｏ．４の２桁の数字（０１，０２，…，５３，５４）の数字列が印刷され、その間に第２の印刷装置１８の無端帯状印刷プレート１３ｂは（１回転＋版面４枚分）の送りに相当する。
【００８９】
そして、第１の印刷装置１７で図形紋様３１が印刷された連続フォーム１２は、第２〜第６の印刷装置１８〜２２を通る間に、各無端帯状印刷プレート１３ｂ〜１３ｆにより、連続フォーム１２の各単位フォーム１４に各組（５組）２桁の数字が組み合されて１０桁の数字配列のランダム識別番号の図柄紋様３５（図形紋様３１、記号紋様３２、文字紋様３３、管理識別紋様３４）が所要の２次元レイアウト位置に印刷される。
【００９０】
図柄紋様３５が印刷される連続フォーム１２の各単位フォーム１４は、２桁ずつの数字が５組組み合された１０桁のランダム識別数字の図柄紋様３５で構成されるので、第２の印刷装置１８版面の数をｍ＝５０とすると、１０桁のランダム識別数字は、数字配列が５０＊５１＊５２＊５３＊５４＝３７９，５０１，２００通り数だけ全てランダム識別数字を異にする。印刷物である連続フォーム１２の各単位フォーム１４や枚葉物の紙葉３０には、印刷される図柄紋様３５の１０桁の数字配列、すなわちランダム識別数字が異なる印刷物が製造される。
【００９１】
しかも、連続フォーム１２の各単位フォーム１４や枚葉物の紙葉３０に下地印刷として印刷される印刷物は、図柄紋様３５を構成する図形紋様３１、記号紋様３２、文字紋様３３、管理識別紋様３４の１０桁の（数字配列で構成される）ランダム識別番号が全て異なり、重複した図柄紋様３５は存在しない。その上、図柄紋様３５を構成するランダム識別数字は文字の大きさが異なる普通文字（数字）とマイクロ文字（数字）または微小文字（数字）とが多段状に併記されて所要のレイアウト配置に構成される。したがって、第２の実施形態で作成された連続フォーム１２の各単位フォーム１４や枚葉物の紙葉３０は、第１の実施形態で作成された印刷物と同様の作用効果を奏する。
【００９２】
［第３の実施形態］
第３の実施形態は、製造装置１０Ｂに備えられる各印刷装置１７〜２２のうち、各無端帯状印刷プレート１３ｂ〜１３ｆの各版面に形成される２桁数字の初期値を、管理表（３）５６のＮｏ．１〜Ｎｏ．５に示すように、全て異なるように形成したものである。製造装置１０Ｂを構成する各印刷装置１７〜２２の構成は、第１の実施形態の印刷装置１７〜２２と異ならないので、同じ構成には同一符号を付して重複する説明を省略する。
【００９３】
具体的には、第２の印刷装置１８の無端帯状印刷プレート１３ｂの版面に形成される２桁数字の初期値を（０５）とし、第３〜第６の印刷装置１９〜２２の各無端帯状印刷プレート１３ｃ〜１３ｆの初期値を（０４），（０３），（０２），（０１）とそれぞれ異にした例である。そして、各無端帯状印刷プレート１３ｂ〜１３ｆの１回転目の最後に形成される２桁数字をそれぞれ５０とした例を示す。管理表（３）５６のＮｏ．１〜Ｎｏ．５の２桁数字の数字列に示すように、各無端帯状印刷プレート１３ｂ〜１３ｆの版面に形成される２桁数字の初期値をそれぞれ（０５），（０４），（０３），（０２），（０１）とし、１廻り目の最後の２桁数字をそれぞれ（５０）とした場合には、印刷される連続フォーム１２の各単位フォーム１４や枚葉物の紙葉３０は、１０桁のランダム識別数字が４６＊４７＊４８＊４９＊５０＝２５４，２５１，２００通りの数だけ、ランダム識別数字の数字配列が異なる図柄紋様３５が作成される。
【００９４】
第３の実施形態に係る製造装置１０Ｂでは、第２〜第６の印刷装置１８〜２２の各無端帯状印刷プレート１３ｂ〜１３ｆに形成される２桁数字の初期値をそれぞれ異にする例を説明したが、初期値の２桁数字も最後の２桁数字も全てそれぞれ異にしても、１０桁の数字配列の図柄紋様３５では、同じランダム識別番号の図柄紋様３５が表われないので、図柄紋様３５が全て異なる連続フォーム１２の各単位フォーム１４や枚葉物の紙葉３０が印刷物として製造される。
【００９５】
この場合にも、第１の実施形態や第２の実施形態で得られる発明と同様の作用効果を奏することができる。
【００９６】
なお、本発明の各実施形態では、製造装置１０は第１〜第６の印刷装置１７〜２２の各無端帯状印刷プレート１３ａ〜１３ｆを同期運転させて連続フォーム１２の各単位フォーム１４または枚葉物の紙葉３０に異なるランダム識別番号の数字配列を施した図柄紋様が得られるものを示した。しかし、製造装置は６台の印刷装置を必ずしも必要としない。印刷機械による製造装置は、図形模様を印刷する１台の印刷装置と、図柄紋様（図形紋様や管理識別紋様）の印刷に少なくとも２つの印刷装置を用意すればよい。図形紋様を必要としない場合には、図柄紋様を印刷する少なくとも２台の印刷装置を用意するだけでもよい。印刷機械は少なくとも２台の印刷装置の各無端帯状印刷プレートを用いて、ランダム識別番号である少なくとも４桁の数字配列（文字配列）のランダム識別番号（字紋）から構成される図柄紋様を印刷して、印刷物の連続フォームの単位フォームや枚葉物の紙葉を作成する製造装置であってもよい。
【００９７】
各実施形態の製造装置１０では、パソコンのエクセル機能処理で作製された管理表（１）４５、管理表（２）５５、管理表（３）５６のＮｏ．１〜Ｎｏ．５の２桁の数字列を、第２〜第６の印刷装置１８〜２２の各無端帯状印刷プレート１３ｂ〜１３ｆの各版面に、所要のレイアウト関係で形成する例を示したが、各無端帯状印刷プレート１３ｂ〜１３ｆの各版面には、Ｎｏ．１〜Ｎｏ．５の２桁数字の数字列のいずれかで選択的に構成してもよく、Ｎｏ．１〜Ｎｏ．５の数字配列の組合せは自由に選択することができる。
【００９８】
また、印刷機械の製造装置では、各印刷装置に図２１に用いられるＯＣＲインキを使用し、ある波長の光に対して、光学的に読み取れないインキを使用してもよい。ＯＣＲインキは、人間の目では読み取ることができるが、光学的な読取り装置（ＯＣＲスキャナー）では読取り不可能となるために、印刷物上の図柄紋様を機械的に処理することが困難となる。
【００９９】
さらに、各印刷装置で印刷される図柄紋様は、下地紋様として印刷される図柄紋様のランダム識別番号を、ベタの数字（文字）ではなく、所定のスクリーン線例えば１２０線の網点文字で作成してもよい。
【０１００】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【０１０１】
１０，１０Ａ，１０Ｂ  製造装置
１１  給紙ロール
１２  連続フォーム（連続紙、ロール紙）
１３  無端帯状印刷プレート
１４  単位フォーム
１５  マージナルゾーン
１６  パンチング孔
１７  第１の印刷装置
１８  第２の印刷装置
１９  第３の印刷装置
２０  第４の印刷装置
２１  第５の印刷装置
２２  第６の印刷装置
２３  プレートシリンダ（版胴）
２４  ガイドシリンダ（ガイドローラ）
２５  インキローラ
２６  プレートシリンダ
３０  印刷された枚葉物の紙葉（スマートシート）
３１  図形紋様
３２  記号紋様
３３  文字紋様
３４  管理識別紋様（仕分け紋様）
３５  図柄紋様
３７  検査装置
３８  切断機
３９  スタッカ
４５  管理表（１）
４６  通し番号の欄
４７  数字配列記載欄
４８  管理識別番号欄
５５  管理表（２）
５６  管理表（３）
【図１】
0006502691.tif 000002
【図２】
0006502691.tif 000003
【図３】
0006502691.tif 000004
【図４】
0006502691.tif 000005
【図５】
0006502691.tif 000006
【図６】
0006502691.tif 000007
【図７】
0006502691.tif 000008
【図８】
0006502691.tif 000009
【図９】
0006502691.tif 000010
【図１０】
0006502691.tif 000011
【図１１】
0006502691.tif 000012
【図１２】
0006502691.tif 000013
【図１３】
0006502691.tif 000014
【図１４】
0006502691.tif 000015
【図１５】
0006502691.tif 000016
【図１６】
0006502691.tif 000017
【図１７】
0006502691.tif 000018
【図１８】
0006502691.tif 000019
【図１９】
0006502691.tif 000020
【図２０】
0006502691.tif 000021
【図２１】
0006502691.tif 000022